(57)【特許請求の範囲】
【請求項１】
フレーム：前記フレームに装架され、使用位置にあるときは前記フレームを床面上に支持し、不使用位置にあるときは前記フレームの端部側の空間部内に折り畳まれる脚体：前記脚体に回転可能に連結された下端部及び前記空間部内に位置する上端部を持つ支持軸：前記空間部内に収容されて、前記脚体が前記使用位置にある時に前記支持軸の前記上端部が嵌合される待機空間及び前記フレームが持ち上げられた時に自重の作用で前記嵌合から解放されて下降した前記支持軸の前記上端部の摺動を許容する摺動空間を画成するカバー：並びに前記空間部内に装架され、前記脚体を前記使用位置から前記不使用位置に変移させるべく前記フレームが持ち上げられた時に前記待機空間から下降した前記支持軸の前記上端部の前記摺動空間内の摺動を阻止し、前記フレーム持ち上げの後に操作されると前記支持軸の前記上端部の前記摺動空間内の摺動を許容するレバー：を備えたベッド装置。
【請求項２】
前記端部に縁部を設け、前記脚体が折り畳まれて前記フレームが前記床面に近接したときに、前記縁部を持つ手が前記床面に接触しないように前記縁部を形成した、請求項１記載のベッド装置。
【発明の詳細な説明】
【０００１】
【発明の属する技術分野】
本発明は、ベッド装置、特に脚体がフレーム側に折り畳まれるように構成されたベッド装置に関する。
【０００２】
【従来の技術】
従来のベッド、例えば、特開平５−３２９０７号公報に開示されるものにおいては、フレームの端部側に装架されたレバーを上方に変移させると、フレームのを床面上に支持する脚体がフレームに対してアンロック状態となり、脚体がフレーム側に折り畳まれるようになっている。
【０００３】
【発明が解決しようとする課題】
ところが、ベッドメーキングの際に身体の一部が誤ってレバーに触れた場合、脚体がフレーム側に折り畳まれ、ベッドメーキングをする者は、再度、脚を元の状態に戻さねばならず、作業の効率が阻害される。
【０００４】
それ故に、本発明は、かかる不具合がないベッド装置を提供せんことを、その技術的課題とするものである。
【０００５】
【課題を解決するための手段】
上記技術的課題を解決するために請求項１記載の発明において講じた技術的手段は、フレーム：前記フレームに装架され、使用位置にあるときは前記フレームを床面上に支持し、不使用位置にあるときは前記フレームの端部側の空間部内に折り畳まれる脚体：前記脚体に回転可能に連結された下端部及び前記空間部内に位置する上端部を持つ支持軸：前記空間部内に収容されて、前記脚体が前記使用位置にある時に前記支持軸の前記上端部が嵌合される待機空間及び前記フレームが持ち上げられた時に自重の作用で前記嵌合から解放されて下降した前記支持軸の前記上端部の摺動を許容する摺動空間を画成するカバー：並びに前記空間部内に装架され、前記脚体を前記使用位置から前記不使用位置に変移させるべく前記フレームが持ち上げられた時に前記待機空間から下降した前記支持軸の前記上端部の前記摺動空間内の摺動を阻止し、前記フレーム持ち上げの後に操作されると前記支持軸の前記上端部の前記摺動空間内の摺動を許容するレバー：を備えたベッド装置を構成したことである。
【０００６】
また、請求項２記載の発明において講じた技術的手段は、請求項１記載のベッド装置において、前記端部に縁部を設け、前記脚体が折り畳まれて前記フレームが前記床面に近接したときに、前記縁部を持つ手が前記床面に接触しないように前記縁部を形成したことである。
【０００７】
【作用および効果】
上記第１の技術的手段においては、フレームを持ち上げない限りレバーを操作しても脚体がフレームに拘束されている状態は保持されるわけだから、ベッドメーキンの際に誤ってレバーに手を触れただけでは脚体がフレーム内に折り畳まれることがないという効果を奏する。
【０００８】上記第２の技術的手段においては、上記第１の技術的手段の作用・効果の他に、フレームの着床時の手の挟み込みを防止できるという効果を奏する。
【０００９】
【発明の実施の形態】
以下、添付図面を参照して本発明の一実施形態について説明する。
【００１０】
図１ないし図４において、ベッド装置２０は、マットレス１９が載置される矩形のフレーム２１を備える。フレーム２１は、長手方向に延在する１対の長手ビーム２１ａおよび長手ビーム２１ａの各端部間を溶着により連結する１対の短手ビーム２１ｂから構成されている。
【００１１】
特に図３および図４に示されるように、フレーム２１においては、１対の長手ビーム２１ａ間を各短手ビーム２１ｂと平行するように連結し且つ各短手ビーム２１ｂとの間に収納空間５０を画成する横桟２１ｃが設けられている。なお、後で詳細に説明するが、フレーム２１の各端部側には、金属パイプを浅いＵ字型に屈曲成型して形成された脚体２２が装架されており、脚体２２がフレーム２１の収納空間５０内に折り畳まれたときに、脚体２２に装架されたキャスターないしローラ２３が着床するようになっている。
【００１２】
横桟２１ｃの各端部側とこの横桟２１ｃと対向する短手ビーム２１ｂとの間には縦桟２１ｄが架橋されており、この縦桟２１ｄの内面には、プレート２４が溶接されている（特に図４参照）。しかして、プレート２４の横桟２１ｃ側ならびに短手ビーム２１ｂには、夫々、膨出部２４ａならびに膨出部２４ｂおよびストッパ２４ｃが形成されている。
【００１３】
脚体２２の各端部は、軸２５により、プレート２４の膨出部２４ａに、回転可能に連結されている。脚体２２上には、ローラ２３の少し下側にリング状の連結体２６が溶着されており、この連結体２６には、支持軸２７の下端部が回転可能に連結されている。しかしてプレート２４には断面コ型状のカバー２８溶着されており、カバー２８に連結された板２８ａにより、カバー２８は、待機空間２８ｂと摺動空間２８ｃとが画成されるようになっている。通常、待機空間２８ｂには、支持軸２７の上端部２７ａが嵌合されているが、後述するように、この嵌合が解除されると、支持軸２７の上端部２７ａが摺動空間２８ｃ内を摺動するようになっている。
【００１４】
カバー２８の脚体２２側には、ストッパ２９が装架されており、このストッパ２９により、支持軸２７の上端部２７ａが空間２８ｃからの抜けが防止されるようになっている。しかして、ストッパ２９には下方開放のスロット２９ａが形成されており、このスロット２９ａを支持軸２７が通過するようになっている。
【００１５】
プレート２４の膨出部２４ｂには、ピン３１により、レバー３０の側部３０ａが回転可能に連結されている。しかしてレバー３０は、側部３０ａ、図示されない他の側部（側部３０ａと対称の形状を備える）および双方の側部を連結し且つ短手ビーム２１ｂと平行して延在する把持部３０ｂから構成される。レバー３０は、通常、自重により、図３において時計方向に付勢されており、その結果、図８ないし図１０に拡大図示されるように、レバー３０の側部３０ａの先端部３０ｃが、板２８ａの下面に当接している。これにより、フレーム２１に、図３・図８の下方向に力が作用して、待機空間２８ｂから、支持軸２７の上端部２７ａが抜け出て下方に変位しても、レバー３０の側部３０ａの先端部３０ｃが支持軸２７の上端部２７ａの摺動空間２８ｃ内を摺動するのが阻止される。すなわち、レバー３０の側部３０ａの先端部３０ｃが待機空間２８ｂを画成する板２８ａと共同してロック機構５１を構成し、フレーム２１を持ち上げない限り、支持軸２７の上端部２７ａは、摺動空間２８ｃ内を摺動することができないようになっている。
【００１６】
以下において、上記したベッド装置２０の作用について説明する。図１ないし図４に示されるようにベッド装置２０が立脚状態にある場合、脚体２２をフレーム２１内に収納しようとするとき、ブレーム２１の短手ビーム２１ｂに連結された縁２１ｅをを持ち上げると、支持軸２７の上端部２７ａは自重により、下方に変位ないし移動しようとする。しかして、かような状態の下、レバー３０の把持部３０ｂを上方に持ち上げると、図３において、レバー３０の側部３０ａがピン３１を中心に，反時計方向に回動し、図５の状態および図８の破線で示される状態が齎される。つまり、ロック機構５１が解除され、その後、支持軸２７の上端部２７ａの摺動空間２８ａ内を摺動して、図６および図７に示される状態が齎される。この状態のままでフレーム２１のローラ２３は着床するわけであるが、手をかけた短手ビーム２１ｂの縁２１ｅには面取りが形成されているので、ローラ２３が着床した際、手がフレーム２１と床との間に挟まれることはない。なお、ローラ２３が着床した際、手がフレーム２１と床との間に挟まれること防止するためには、短手ビーム２１ｂの縁２１ｅを、図１３に示されるように段付状に形成しても良い。
【００１７】
上とは逆に、収納した脚体２２を引き出して、再度、図１に示す状態に復帰せしめる場合、 図６の状態においてブレーム２１の短手ビーム２１ｂの縁を持ち上げると、脚体２２が自重で時計方向に回動し、支持軸２７の上端部２７ａが摺動空間２８ａ内を移動して待機空間２８ｂ内に至る。しかしてこれとて同時に、レバー３０の側部３０ａの先端部３０ｃが時計方向に回動して板２８ｃの下面に変移して、つまり、ロック機構５１がロック状態となり、レバー３０の側部３０ａの先端部３０ｃが支持軸２７の上端部２７ａの摺動空間２８ａ内を摺動するのを阻止する。
【図面の簡単な説明】
【図１】本発明の一実施形態に係るベッド装置の長手方向の側面図である。
【図２】図１のベッド装置の短手方向の側面図である。
【図３】図１のベッド装置のロック機構周辺部の側面の説明図である。
【図４】図１のベッド装置のロック機構周辺部の裏面の説明図である。
【図５】ロック装置が解除された直後のロック機構周辺部の側面の説明図である。
【図６】脚体が収納空間内に収容された状態を示す図面である。
【図７】脚体が収納空間内に収容されたときのロック機構周辺部の裏面図である。
【図８】ロック機構の作動を説明する図面である。
【図９】図８のＡ−Ａ線に沿う断面図である。
【図１０】図８のＢ−Ｂ線に沿う断面図である。
【図１１】フレームの短手ビームの縁の変形例の断面図である。
【符号の説明】
２０ ベッド装置
２１ フレーム
２１ｅ 短手ビームの縁（把持部）
２２ 脚体
３０ レバー
５０ 収納空間（空間部）
５１ ロック機構
【図１】
0003941161.tif 000002
【図２】
0003941161.tif 000003
【図３】
0003941161.tif 000004
【図４】
0003941161.tif 000005
【図５】
0003941161.tif 000006
【図６】
0003941161.tif 000007
【図７】
0003941161.tif 000008
【図８】
0003941161.tif 000009
【図９】
0003941161.tif 000010
【図１０】
0003941161.tif 000011
【図１１】
0003941161.tif 000012